(57)【特許請求の範囲】
【請求項１】
液吸収性の吸収体を備え、互いに直交する長手方向と幅方向と厚さ方向とを有する吸収性物品であって、
前記吸収体は、
前記長手方向に沿って形成され、前記吸収体が前記厚さ方向に折れ曲がるように誘導する第１溝部と、
前記第１溝部の前記幅方向の中央を通り前記長手方向に沿った直線と交差するように形成され、前記長手方向に複数並んだ第２溝部と、
を有し、
前記吸収体を平面状態にした場合において、複数の前記第２溝部のうち前記長手方向の最も後側に配置された前記第２溝部と、前記第１溝部の前記長手方向の後側端部とが離間しており、
前記第１溝部及び前記第２溝部は、前記吸収体を圧搾することによってそれぞれ形成されており、
前記第１溝部における前記吸収体の密度は、前記第２溝部における前記吸収体の密度よりも大きい、ことを特徴とする吸収性物品。
【請求項２】
請求項１に記載の吸収性物品であって、
前記吸収体を備える本体部、及び、伸縮性のベルト部を有し、
胴回り開口部と、一対の脚回り開口部とが形成されている、ことを特徴とする吸収性物品。
【請求項３】
請求項２に記載の吸収性物品であって、
縦方向を有し、
前記吸収体及び前記本体部は、前記長手方向を前記縦方向に沿わせて配置されつつ、前記長手方向の所定位置にて二つ折りにされており、
前記本体部の前記長手方向の一端側と他端側とが前記ベルト部を介して連結され、
前記ベルト部の前記縦方向における上方側の端縁により胴回り開口部の少なくとも一部が形成され、
前記ベルト部の前記縦方向における下方側の端縁、及び、前記本体部の前記幅方向の両端縁により一対の脚回り開口部が形成され、
前記縦方向において、前記胴回り開口部側から前記脚回り開口部に向かって、前記幅方向の外側へ傾斜した、少なくとも前記本体部及び前記ベルト部を接合する接合部が形成されている、ことを特徴とする吸収性物品。
【請求項４】
請求項１〜３のいずれかに記載の吸収性物品であって、
前記第１溝部は、前記厚さ方向の非肌側から前記吸収体を圧搾することによって形成されている、ことを特徴とする吸収性物品。
【請求項５】
請求項１〜４のいずれかに記載の吸収性物品であって、
前記第２溝部は、前記長手方向の前側から後側に向けて、前記幅方向の外側に広がるように配置されている、ことを特徴とする吸収性物品。
【請求項６】
請求項３に記載の吸収性物品であって、
前記第２溝部は、前記長手方向の前側から後側に向けて、前記幅方向の外側に広がるように配置されており、
前記第２溝部を前記長手方向の後側かつ前記幅方向の外側に延長した延長線と、後側に設けられた前記接合部とのなす角度のうち小さい方の角度が７０°以上である、ことを特徴とする吸収性物品。
【請求項７】
請求項１〜６のいずれかに記載の吸収性物品であって、
前記第２溝部よりも前記長手方向の前側には、複数の第３溝部が、前記第１溝部と交差するように形成されている、ことを特徴とする吸収性物品。
【請求項８】
請求項１〜７のいずれかに記載の吸収性物品であって、
前記第１溝部の前記長手方向の後側端部は、前記長手方向の最も前側に配置されている前記第２溝部と前記第１溝部との交点の位置に配置されている、ことを特徴とする吸収性物品。
【請求項９】
請求項１〜７のいずれかに記載の吸収性物品であって、
前記吸収体は、前記長手方向の前側端部と後側端部との間の領域で前記幅方向の距離が狭くなったくびれ部を有し、
前記第１溝部の前記長手方向の前側端部は、前記長手方向において前記くびれ部の前記幅方向の距離が最も狭くなる位置と、前記長手方向において前記くびれ部の前側端部位置との間に配置されている、ことを特徴とする吸収性物品。
【発明の詳細な説明】
【技術分野】
【０００１】
本発明は、吸収性物品に関する。
【背景技術】
【０００２】
従来、使い捨ておむつに使用される吸収パッド等、液吸収性を有する吸収体を備えた吸収性物品が知られている。このような吸収性物品では、比較的剛性の高い吸収体にエンボス加工等により溝部を設け、当該溝部に沿って吸収体が折れ曲がりやすくなるようにすることで、着用時におけるフィット性を向上させる場合がある。例えば、特許文献１には、吸収体の長手方向の前後に延びる溝部を形成することにより、該吸収体を長手方向に沿って二つ折りに変形させ、着用者の股間の隙間に通しやすい形状とする吸収性物品が開示されている。
【先行技術文献】
【特許文献】
【０００３】
【特許文献１】特開２０１４−１９５５２９号公報
【発明の概要】
【発明が解決しようとする課題】
【０００４】
しかし、人体の形状は複雑であり、吸収体の変形が不適切であると、吸収性物品の着用時においてかえってフィット性を悪化させる場合がある。例えば、特許文献１では、吸収体の全体が長手方向に沿って二つ折りに変形するため、人体の腹側や背側の平面状の部分では吸収体の立体形状が当該部分になじまず、着用者に違和感や不快感を生じさせるおそれがある。
【０００５】
本発明は、上記のような問題に鑑みてなされたものであって、その目的とするところは、着用時において良好なフィット性を実現可能な吸収性物品を提供することにある。
【課題を解決するための手段】
【０００６】
上記目的を達成するための主たる発明は、
液吸収性の吸収体を備え、互いに直交する長手方向と幅方向と厚さ方向とを有する吸収性物品であって、
前記吸収体は、
前記長手方向に沿って形成され、前記吸収体が前記厚さ方向に折れ曲がるように誘導する第１溝部と、
前記第１溝部の前記幅方向の中央を通り前記長手方向に沿った直線と交差するように形成され、前記長手方向に複数並んだ第２溝部と、
を有し、
前記吸収体を平面状態にした場合において、複数の前記第２溝部のうち前記長手方向の最も後側に配置された前記第２溝部と、前記第１溝部の前記長手方向の後側端部とが離間しており、
前記第１溝部及び前記第２溝部は、前記吸収体を圧搾することによってそれぞれ形成されており、
前記第１溝部における前記吸収体の密度は、前記第２溝部における前記吸収体の密度よりも大きい、ことを特徴とする吸収性物品である。
【０００７】
本発明の他の特徴については、本明細書及び添付図面の記載により明らかにする。
【発明の効果】
【０００８】
本発明によれば、着用時において良好なフィット性を実現可能な吸収性物品を提供することができる。
【図面の簡単な説明】
【０００９】
【図１】おむつ１の外観を表す概略斜視図である。
【図２】図２Ａは、長手方向に沿って伸長させた状態のおむつ１について表す平面図である。図２Ｂは、図２ＡのＡ−Ａ断面について表す概略断面図である。
【図３】図３Ａは、製造工程の途中において、長手方向に沿って伸長させた状態のおむつ１を展開した状態について表す平面展開図である。図３Ｂは、図３ＡのＢ−Ｂ断面について表す概略断面図である。
【図４】おむつ１の製造工程の一例について説明する図である。
【図５】吸収体１１の詳細について説明する平面図である。
【図６】図６Ａ及び図６Ｂは、おむつ１の着用時における吸収体１１の変形の様子について説明する図である。
【図７】パンツ型形状のおむつ１を後側（背側）から見た時の概略平面図である。
【図８】吸収性物品の一例としての３ピースタイプの使い捨ておむつ（おむつ２）を展開した状態を表す平面図である。
【図９】吸収性物品の一例としての生理用ナプキン（ナプキン３）を表す平面図である。
【発明を実施するための形態】
【００１０】
本明細書及び添付図面の記載により、少なくとも以下の事項が明らかとなる。
液吸収性の吸収体を備え、互いに直交する長手方向と幅方向と厚さ方向とを有する吸収性物品であって、前記吸収体は、前記長手方向に沿って形成され、前記吸収体が前記厚さ方向に折れ曲がるように誘導する第１溝部と、前記第１溝部の前記幅方向の中央を通り前記長手方向に沿った直線と交差するように形成され、前記長手方向に複数並んだ第２溝部と、を有し、前記吸収体を平面状態にした場合において、複数の前記第２溝部のうち前記長手方向の最も後側に配置された前記第２溝部と、前記第１溝部の前記長手方向の後側端部とが離間している、ことを特徴とする吸収性物品。
【００１１】
このような吸収性物品によれば、着用者の身体形状にあわせて、長手方向中央部付近の第１溝部が形成されている領域では、吸収体が肌側に突出した山型に変形し、長手方向後方の第２溝部が形成されている領域では、吸収体が山型に変形せず略平面形状を維持しやすくなる。これにより、該吸収性物品の着用時において良好なフィット性を実現することができる。
【００１２】
かかる吸収性物品であって、前記吸収体を備える本体部、及び、伸縮性のベルト部を有し、胴回り開口部と、一対の脚回り開口部とが形成されている、ことが望ましい。
【００１３】
このような吸収性物品によれば、おむつ型の吸収性物品を着用する際に、背側領域、中央領域、腹側領域のそれぞれにおいて吸収体を適切に変形させることにより、吸収体の立体形状が人体の形状になじみやすくなり、着用者に良好なフィット感を与えることができる。
【００１４】
かかる吸収性物品であって、縦方向を有し、前記吸収体及び前記本体部は、前記長手方向を前記縦方向に沿わせて配置されつつ、前記長手方向の所定位置にて二つ折りにされており、前記本体部の前記長手方向の一端側と他端側とが前記ベルト部を介して連結され、前記ベルト部の前記縦方向における上方側の端縁により胴回り開口部の少なくとも一部が形成され、前記ベルト部の前記縦方向における下方側の端縁、及び、前記本体部の前記幅方向の両端縁により一対の脚回り開口部が形成され、前記縦方向において、前記胴回り開口部側から前記脚回り開口部に向かって、前記幅方向の外側へ傾斜した、少なくとも前記本体部及び前記ベルト部を接合する接合部が形成されている、ことが望ましい。
【００１５】
このような吸収性物品によれば、おむつ型の吸収性物品を着用する際に、吸収体のフィット性を向上させると共に、着用時における吸収体のだぶつき等を抑制することで吸収性物品の外観をショーツやブリーフ等の下着のようなすっきりとしたものにすることができる。
【００１６】
かかる吸収性物品であって、前記第１溝部は、前記厚さ方向の非肌側から前記吸収体を圧搾することによって形成されている、ことが望ましい。
【００１７】
このような吸収性物品によれば、吸収体が、第１溝部に沿って厚さ方向の肌側へ折れ曲がりやすくなる。これにより、吸収体は肌側に突出した山型に変形し、当該変形部が着用者の臀部の溝と接触しやすくなるため、該吸収体を着用した際のフィット性を向上させることができる。
【００１８】
かかる吸収性物品であって、前記第２溝部は、前記長手方向の前側から後側に向けて、前記幅方向の外側に広がるように配置されている、ことが望ましい。
【００１９】
このような吸収性物品によれば、第２溝部が長手方向の後方に向かう放物線状に配置されていることで、第１溝部から伝播した力が第２溝部を介して、幅方向の外側に向かって作用しやすくなる。これにより、吸収体が幅方向の外側に拡幅されやすくなり、長手方向後側の領域において吸収体が略平面状に保たれやすくなり、着用者の背側におけるフィット性を向上することができる。したがって、着用者に違和感や不快感を与えにくくなる。
【００２０】
かかる吸収性物品であって、前記第２溝部は、前記長手方向の前側から後側に向けて、前記幅方向の外側に広がるように配置されており、前記第２溝部を前記長手方向の後側かつ前記幅方向の外側に延長した延長線と、後側に設けられた前記接合部とのなす角度のうち小さい方の角度が７０°以上である、ことを特徴とする吸収性物品。
ことが望ましい。
【００２１】
このような吸収性物品によれば、吸収性物品の着用時において、伸縮性のベルト部による幅方向外側への引っ張り力を、接合部を介して吸収体にも作用させることができる。すなわち、接合部と直交する方向に作用する引っ張り力と、第２溝部の方向とが揃いやすくなるため、当該引張力が効率的に吸収体に作用するようになる。これにより、吸収体が幅方向の外側に引っ張られて平面状に保たれやすくなることから、よりフィット性を向上させることができる。
【００２２】
かかる吸収性物品であって、前記第２溝部よりも前記長手方向の前側には、複数の第３溝部が、前記第１溝部と交差するように形成されている、ことが望ましい。
【００２３】
このような吸収性物品によれば、第３溝部が設けられている領域において、吸収体の面形状（曲面形状）が維持されやすくなり、皺の発生や臀部への食い込みが抑制される。また、吸収体が第３溝部の放物線に沿って曲面状に変形しやすくなり、着用者の臀部の丸みにフィットしやすくなる。
【００２４】
かかる吸収性物品であって、前記第１溝部の前記長手方向の後側端部は、前記長手方向の最も前側に配置されている前記第２溝部と前記第１溝部との交点の位置に配置されている、ことが望ましい。
【００２５】
このような吸収性物品によれば、第１溝部の長手方向の後側端部よりも前側（中央領域）では吸収体を山型に変形させ、後側（背側領域）では吸収体を平面状に保ちやすくなる。すなわち、中央領域と背側領域とで吸収体の変形を制御しやすくしている。これにより、中央領域だけでなく背側領域においても良好なフィット性を実現しやすくなる。
【００２６】
かかる吸収性物品であって、前記吸収体は、前記長手方向の前側端部と後側端部との間の領域で前記幅方向の距離が狭くなったくびれ部を有し、前記第１溝部の前記長手方向の前側端部は、前記長手方向において前記くびれ部の前記幅方向の距離が最も狭くなる位置と、前記長手方向において前記くびれ部の前側端部位置との間に配置されている、ことが望ましい。
【００２７】
このような吸収性物品によれば、第１溝部の長手方向前側端部よりも前側の腹側領域においては、吸収体が着用者の脚の間に挟み込まれている部分が少なくなるため、該吸収体は山型に変形しにくい。したがって、腹側領域において吸収体が身体の腹部に沿った曲面形状を維持しやすくなり、中央領域だけでなく腹側領域においても良好なフィット性を実現しやすくなる。
【００２８】
かかる吸収性物品であって、前記第１溝部及び前記第２溝部は、前記吸収体を圧搾することによってそれぞれ形成されており、前記第１溝部における前記吸収体の密度は、前記第２溝部における前記吸収体の密度よりも大きい、ことが望ましい。
【００２９】
このような吸収性物品によれば、吸収体は、密度の高い第１溝部の方が、密度の低い第２溝部よりも折れ曲がりやすくなる。これにより、吸収体は、第１溝部に沿った山型の形状に優先的に変形しやすくなり、着用者の身体にフィットしやすくなる。
【００３０】
＝＝＝実施形態＝＝＝
＜吸収性物品の基本構成＞
本実施形態に係る吸収性物品の一例として、パンツ型の使い捨ておむつ１（以下、「おむつ１」とも呼ぶ）について説明する。なお、本実施形態に係る吸収性物品は使い捨ておむつに限定されるものではない。
【００３１】
図１は、おむつ１の外観を表す概略斜視図である。おむつ１は、吸収性本体１０（本体部）と、レッグギャザー部２０と、ベルト部３０とを有し、着用時において図１に示されるようなパンツ型の形状をしている。このおむつ１は、図１のパンツ型状態において、互いに直交する「縦方向」と「横方向」とを有している。そして、おむつ１の縦方向の上側には胴回り開口部ＨＢが形成され、横方向の両側には１対の脚回り開口部ＨＬが形成されている。また、おむつ１の前側は着用時において着用者の腹側を覆う部分であり、後側は着用者の背側覆う部分である。
【００３２】
図２Ａは、吸収性本体１０の長手方向に沿って伸長させた状態のおむつ１について表す平面図である。図２Ｂは、図２ＡのＡ−Ａ断面について表す概略断面図である。図３Ａは、製造工程の途中において、吸収性本体１０の長手方向に沿って伸長させた状態のおむつ１を展開した状態について表す平面展開図である。図３Ｂは、図３ＡのＢ−Ｂ断面について表す概略断面図である。
【００３３】
おむつ１は、製造工程の最終段階において図２Ａに示されるような平面状態である。おむつ１の製造工程については図４を用いて後で説明する。平面状態のおむつ１は、互いに直交する三方向として「長手方向」と「幅方向」と「厚さ方向」とを有している。平面状態のおむつ１の長手方向は、吸収性本体１０の長手方向に沿った方向である。この長手方向は、図１のパンツ型状態での縦方向に対応する方向であるが、厳密に言うとパンツ型状態での縦方向と平面状態での長手方向とは若干意味が異なるため、必要な場合には「パンツ型状態での縦方向」、「平面状態での長手方向」等、両者を区別して扱う。なお、図２Ａでおむつ１を長手方向に沿って伸長させた状態（すなわち平面状態）とは、後述するレッグギャザー弾性部材２３やベルト弾性部材３３による収縮力に抗しておむつ１を長手方向に伸長させた場合に、各弾性部材が配置されている部分において実質的に皺やギャザーが視認できなくなる程度まで伸長した状態のことを言う。さらに言うと、長手方向に伸長させた状態におけるおむつ１の形状は、レッグギャザー弾性部材２３等の各種弾性部材による収縮力が発現していない場合において平坦に延びたときのおむつ１の形状と同じである。
【００３４】
また、以下の説明では、吸収性本体１０を長手方向に伸長させた状態で、着用者の腹側に当たる側を長手方向の前側（腹側）とし、着用者の背側に当たる側を長手方向の後側（背側）とする。平面状態のおむつ１の幅方向は、図１のパンツ型状態のおむつ１の横方向と同じ概念である。平面状態のおむつ１の厚さ方向は、長手方向及び幅方向とそれぞれ直行する方向であり、着用者の肌と接触する側のことを「肌側」と言い、その逆側のことを「非肌側」と言う。
【００３５】
図２Ａ及び図２Ｂに示されるように、平面状態のおむつ１において、吸収性本体１０（本体部）は長手方向に沿って配置されており、吸収性本体１０の幅方向両側には１対のレッグギャザー部２０が配置されている。そして、吸収性本体１０の一部及びレッグギャザー部２０と厚さ方向の肌側に重複するように、１対のベルト部３０が配置されている。本実施形態のおむつ１では、図３Ａに示されるように、レッグギャザー部２０とベルト部３０とが一のシート部材であるサイドシート４０によって形成されている。当該サイドシート４０を長手方向に伸びる折り返し線ＦＬにおいて幅方向の内側に折り返すことによってレッグギャザー部２０及びベルト部３０が形成される。
【００３６】
レッグギャザー部２０には、幅方向外側端部２０ｅо（折り返し線ＦＬ）において一部が切り欠かれたレッグギャザー切り欠き部２５が設けられている。同様に、ベルト部３０には、幅方向外側端部３０ｅо（折り返し線ＦＬ）において一部が切り欠かれたベルト切り欠き部３５が設けられている。このレッグギャザー切り欠き部２５及びベルト切り欠き部３５によって脚回り開口部ＨＬが形成される。
【００３７】
ベルト部３０は、吸収性本体１０の長手方向前側端部１０ｅｆから脚回り開口部ＨＬに向かって傾斜した１対の第１接合部ＷＬ１によって吸収性本体１０（厳密に言うと、吸収性本体１０の肌側に配置されているトップシート１３）及びレッグギャザー部２０と接合されている。同様に、ベルト部３０は、吸収性本体１０の長手方向後側端部１０ｅｒから脚回り開口部ＨＬに向かって傾斜した１対の第２接合部ＷＬ２によって吸収性本体１０及びレッグギャザー部２０と接合されている。第１接合部ＷＬ１及び第２接合部ＷＬ２は、熱溶着や超音波溶着等の公知の溶着手段によって接合されるが、ホットメルト接着剤等の接着剤を用いて接合されるのであっても良い。
【００３８】
このような平面状態のおむつ１を一対のベルト部３０，３０において幅方向の内側端部３０ｅｉ，３０ｅｉ同士を幅方向の両側に開きながら、吸収性本体１０を長手方向の中央位置ＣＬ付近で二つ折りする。これにより、吸収性本体１０の長手方向の一端部側と多端側とがベルト部３０，３０を介して連結されたパンツ型のおむつ１として着用可能な状態となる（図１参照）。このとき、吸収性本体１０の長手方向前側端部１０ｅｆ、長手方向後側端部１０ｅｒ及び、一対のベルト部３０の内側端部３０ｅｉによって胴回り開口部ＨＢが形成される。
【００３９】
図２Ａに示されるように、吸収性本体１０は、長手方向に伸びる略長方形の部材（図３Ａ参照）を第１接合部ＷＬ１及び第２接合部ＷＬ２に沿って切断することにより、長手方向の各端部がそれぞれ平面視略Ｖ字形に先細った形状のシート状部材である。吸収性本体１０は、吸収体１１と、同吸収体１１を肌側から覆って設けられたトップシート１３（肌側シートに相当）と、同吸収体１１を非肌側から覆って設けられたバックシート１５（非肌側シートに相当）と、を有する。これら各部材１３，１１，１５は、それぞれ厚さ方向に隣接する部材と、ホットメルト接着剤等で接合されている（図２Ｂ及び図３Ｂ参照）。なお、同接着剤の塗布パターンとしては、Ωパターンやスパイラルパターン、ストライプパターン等を例示できて、このことは、後で出てくる他の接着剤についても同様である。
【００４０】
吸収体１１は、所定の液体吸収性素材が所定形状（例えば、平面視略砂時計形状）に成形された吸収性コアと、該吸収性コアの外周面を被覆するコアラップシートとを有し、おむつ１の着用時において尿等の排泄液を吸収する部材である。液体吸収性素材としては、パルプ繊維等の液体吸収性繊維や、高吸収性ポリマー（所謂ＳＡＰ）等の液体吸収性粒状物を例示できる。コアラップシートとしては、ティッシュペーパーや不織布等の液透過性シートを使用可能である。
【００４１】
本実施形態において、吸収体１１の表面には、図２Ａや図３Ａに示されるような複数の溝部１２が設けられている。この溝部１２は、おむつ１の着用時において着用者の身体の形状にあわせて吸収体１１を変形させ、吸収性本体１０が着用者の身体にフィットしやすいようにする機能を有する。吸収体１１及び溝部１２の詳細については後で説明する。
【００４２】
トップシート１３は、液透過性を有する柔軟なシート部材で形成され、例えばエアスルー不織布等のシート部材を用いることができる。トップシート１３の平面サイズは、吸収体１１の長手方向の両側及び幅方向の両側から突出するようなサイズである。
【００４３】
バックシート１５は、図３Ｂに示されるように防漏シート１５ｆ及び外装シート１５ｎの２枚のシート部材を厚さ方向に重ねて接合することによって形成されている。防漏シート１５ｆは、ポリエチレン（ＰＥ）フィルム又はポリプロピレン（ＰＰ）フィルム等からなる液不透過性のシート部材であり、バックシート１５の厚さ方向の肌側に配置される。外装シート１５ｎは、不織布等からなるシート部材であり、バックシート１５の厚さ方向の非肌側に配置され、吸収性本体１０の外装を構成する部材である。但し、バックシート１５は、一定の防漏性を有していれば、上述のような構成には限られない。バックシート１５も、吸収体の長手方向の両側及び幅方向の両側から突出するような平面サイズのシートである。そして、トップシート１３とバックシート１５とは、互いの長手方向両端部の略Ｖ字形が概ね揃うように厚さ方向に重ね合わせて接合され、これにより、シート１３，１５同士の間に吸収体が保持されている。
【００４４】
レッグギャザー部２０は、図３Ａ及び図３Ｂに示されるように、吸収性本体１０の幅方向両側に接合された長手方向に長いシート部材であり、おむつ１をパンツ型に形成する際には、脚回り開口部ＨＬに沿って収縮して襞状のレッグギャザーを形成する。レッグギャザー部２０は、不織布等からなる第１シート２１と第２シート２２を厚さ方向に二枚重ねにして形成されている。なお、吸収性本体１０とレッグギャザー部２０との接合は、レッグギャザー部２０の幅方向の内側端部が吸収性本体１０のトップシート１３とバックシート１５との間に挟み込まれた状態でホットメルト接着剤等により接着されることで行われている。
【００４５】
ベルト部３０は、図３Ａ及び図３Ｂに示されるように、レッグギャザー部２０の幅方向両側に設けられた長手方向に長いシート部材であり、おむつ１をパンツ型に形成する際には胴回りのベルトを形成する（図１参照）。ベルト部３０は、不織布等からなる第１シート３１と第２シート３２とを厚さ方向に二枚重ねにして形成されている。
【００４６】
上述したように、本実施形態においてレッグギャザー部２０とベルト部３０とは一の部材であるサイドシート４０によって一体的に形成されている。すなわち、レッグギャザー部２０の第１シート２１及びベルト部３０の第１シート３１は一のシート部材４１によって構成され、レッグギャザー部２０の第２シート２２及びベルト部３０の第２シート３２も一のシート部材４２によって構成されている。本実施形態では、サイドシート４０のうち折り返し線ＦＬよりも幅方向内側の部分がレッグギャザー部２０となり、折り返し線ＦＬの幅方向外側の部分がベルト部３０となる。
【００４７】
レッグギャザー部２０の第１シート２１と第２シート２２との間には糸ゴム等からなるレッグギャザー弾性部材２３が長手方向に伸長した状態で配置され、ホットメルト接着剤等によって固定されている。図３Ａにおいては、レッグギャザー切り欠き部２５の幅方向内側端部（すなわち、脚回り開口部ＨＬの幅方向内側端部）よりもさらに内側の位置に２条のレッグギャザー弾性部材２３が配置されている。当該レッグギャザー弾性部材２３によって、レッグギャザー部２０に長手方向の伸縮性が付与される。これにより、おむつ１をパンツ型に形成する際に、脚回り開口部ＨＬに沿ってレッグギャザー部２０が収縮し、襞状のレッグギャザーが形成され、着用者の脚回りにおけるフィット性を向上させることができる。
【００４８】
同様に、ベルト部３０の第１シート３１と第２シート３２との間には糸ゴム等からなるベルト弾性部材３３が長手方向に伸長した状態で配置され、ホットメルト接着剤等によって固定されている。図３Ａにおいては、ベルト切り欠き部３５の幅方向外側端部（すなわち、脚回り開口部ＨＬの幅方向外側端部）よりもさらに外側の領域に複数のベルト弾性部材３３が幅方向に並んで配置されている。当該ベルト弾性部材３３によって、ベルト部３０に長手方向の伸縮性が付与される。これにより、おむつ１をパンツ型に形成する際に、ベルト部３０のほぼ全域に亘って胴回り開口部ＨＢに沿った収縮力が発現し、おむつ１の着用時における胴回りのズレ落ちが抑制される。
【００４９】
なお、レッグギャザー弾性部材２３とベルト弾性部材３３とは、図２Ｂに示されるように厚さ方向において互いに重ならない位置に配置されている。すなわち、厚さ方向の上側から見た場合にレッグギャザー弾性部材２３とベルト弾性部材３３との各々が、幅方向において交互に配置されるような位置関係となる。これにより、パンツ型に形成されたおむつ１の脚回り開口部ＨＬ付近において、弾性部材３２、３３が配置されている領域が面状にフィットしやすくなる。
【００５０】
さらに、シート部材４１(２１,３１)とシート部材４２（２２,３２）との間には、伸縮性を有する不織布等によって形成された伸縮シート４３が設けられている。伸縮シート４３は、図３Ａの斜線部で示されるように脚回り開口部ＨＬの幅方向の幅よりも広い帯状の弾性シート部材であり、脚回り開口部ＨＬと同形状の開口を有し、長手方向に伸長された状態でシート部材４１，４２にホットメルト接着剤等で固定されている。これにより、脚回り開口部ＨＬの周縁部が、その全周に亘って伸縮シート４３によって補強される。また、平面状の伸縮シート４３によって発現される収縮力によって、脚回り開口部ＨＬの周縁部におけるフィット性がより向上する。仮に、脚回り開口部ＨＬの周縁部に伸縮シート４３が設けられておらず、レッグギャザー弾性部材２３のような糸ゴムのみが設けられていたとすると、糸ゴムと糸ゴムとの間に皺が形成されやすくなり、おむつ１の着用時において脚回り開口部ＨＬにもたつきが生じたり、糸ゴムの跡が肌に残りやすくなったりするおそれがある。これに対して、脚回り開口部ＨＬの周縁部に平面状の伸縮シート４３が配置されることで、フィット性を向上させることができる。
【００５１】
かかる伸縮シート４３の一例としては、ポリウレタン系エラストマー等の略弾性を示すエラストマー繊維とポリオレフィン系樹脂等の略非弾性を示す熱可塑性樹脂繊維とを有した不織布に対して所謂ギア延伸加工を施して伸縮性が発現した不織布を例示できるが、何等これに限らない。
【００５２】
また、図３Ｂに示されるように、ベルト部３０の幅方向外側端部領域は、第１ベルト端部折り返し線ＦＬｂ１及び第２ベルト端部折り返し線ＦＬｂ２にて幅方向の内側に２回折り返され、ホットメルト接着剤等で当該折り返し状態に固定されている。すなわち、第２ベルト端部折り返し線ＦＬｂ２は、図２Ａにおいて、ベルト部３０の幅方向内側端部３０ｅｉとなる部分であり、胴回り開口部ＨＢとなる部分である。胴回り開口部ＨＢをこのような端部折り畳み構造とすることにより、おむつ１を着用する際に、着用者の胴周りにおけるストレスを軽減することができる。但し、当該幅方向端部領域は必ずしも上述のような折り畳み構造とされていなくても良い。
【００５３】
＜おむつ１の製造について＞
続いて、おむつ１を製造する方法について簡単に説明する。図４は、おむつ１の製造工程の一例について説明する図である。
【００５４】
この例でおむつ１は、材料となる基材シートを搬送方向に搬送させながら、該基材シートに対して所定の加工（Ｓ１０１〜Ｓ１０５）を施すことによって製造される。以下では、シート部材の搬送方向を「ＭＤ方向」と呼び、ＭＤ方向と直交する方向を「ＣＤ方向」と呼ぶ。ＭＤ方向は、図２Ａの長手方向（縦方向）に沿った方向であり、ＣＤ方向は、図２Ａの幅方向に沿った方向である。
【００５５】
本実施形態でおむつ１の基材シートとなるシート部材は、吸収性本体連続シート１０Ａとサイド連続シート４０Ａである。吸収性本体連続シート１０Ａは、複数の吸収性本体１０が長手方向（縦方向）に連続的に並んだシート部材である。すなわち、吸収性本体連続シート１０Ａは、ＭＤ方向に伸びるトップシート１３の連続シートとバックシート１５の連続シートとの厚さ方向の間に吸収体１１が複数挟み込まれた状態のシート部材である。同様に、サイド連続シート４０Ａは、レッグギャザー部２０とベルト部３０とを形成するサイドシート４０が長手方向（縦方向）に連続的に並んだシート部材である。
【００５６】
先ず、図４に示されるように吸収性本体連続シート１０ＡのＣＤ方向（幅方向）両側にサイド連続シート４０Ａが接合された状態の基材シートがＭＤ方向に連続的に搬送される（Ｓ１０１）。
【００５７】
続いて、搬送される基材シートに対して、吸収体１１のＣＤ方向（幅方向）両側で折り返し線ＦＬを跨ぐ位置に脚回り開口部ＨＬたるレッグギャザー切り欠き部２５及びベルト切り欠き部３５を形成する（Ｓ１０２）。当該切り欠き部は、不図示のカッターロール等を用いて形成される。なお、図４のＳ１０２の工程で表される状態は、図３Ａの展開状態のおむつ１に相当する状態である。
【００５８】
続いて、サイド連続シート４０Ａのうちベルト部３０に相当する部分を折り返し線ＦＬにてＣＤ方向（幅方向）の内側に折り返し、吸収性本体１０の一部及びレッグギャザー部とベルト部３０とが厚さ方向に重複した状態になるようにする（Ｓ１０３）。
【００５９】
続いて、超音波融着や熱融着等の接合手段によって第１接合部ＷＬ１及び第２接合部ＷＬ２を形成し、ベルト部３０と、吸収性本体１０及びレッグギャザー部２０とを接合する（Ｓ１０４）。
【００６０】
続いて、基材シートのカッティングが行われる（Ｓ１０５）。具体的には、ＭＤ方向に連続する基材シートからおむつ１を個体ごとに切り離し、さらに、第１接合部ＷＬ１及び第２接合部ＷＬ２に沿って、長方形の四隅を切断する。これにより、図２Ａで示される平面状態のおむつ１が形成される。
【００６１】
＜吸収体１１の詳細について＞
図５は、吸収体１１の詳細について説明する平面図である。同図５は、吸収体１１を平面状態にした場合を表している。すなわち、図２Ａの場合と同様に長手方向に沿って伸長させた状態である。図６Ａ及び図６Ｂは、おむつ１の着用時における吸収体１１の変形の様子について説明する図である。
【００６２】
図５に示されるように吸収体１１は、長手方向の前端と後端との間において幅方向の距離が狭くなったくびれ部１１ｎを有する平面視略砂時計形状に形成されており、くびれ部１１ｎのうち長手方向の位置ＭＮにおいて幅が最も狭い最狭部が形成されている。当該くびれ部１１ｎは、おむつ１の着用時において着用者の鼠径部と当接する部分であり、幅方向の間隔を狭くすることにより着用者の鼠蹊部と吸収体１１との干渉が緩和され、着用者に違和感や不快感を与えにくくすると共に、着用時のフィット性を向上させることができる。
【００６３】
吸収体１１には複数の溝部１２が形成されている。本実施形態では、第１溝部１２１と、第２溝部１２２と、第３溝部１２３との３種類の溝部１２が形成されている（図５参照）。
【００６４】
第１溝部１２１は、吸収体１１の幅方向の略中央において長手方向に沿って線状に形成されている。第１溝部１２１の長手方向の前側端部１２１ｅｆは、最狭部の位置ＭＮとくびれ部１１ｎ前側端部の位置１１ｎｆとの間に設けられている。また、第１溝部１２１の長手方向の後側端部１２１ｅｒは、複数設けられている第２溝部１２２のうち長手方向の最も前側に形成されている溝部（後述する第２溝部１２２Ａ）との交点の位置に設けられている。この第１溝部１２１が設けられる領域は、おむつ１の着用時において、着用者の膣口から臀部の溝（臀裂）と当接する領域であり、以下、この領域を中央領域とも呼ぶ。
【００６５】
第１溝部１２１は、所定の圧搾手段によって吸収体１１の表面を圧搾することによって形成された圧搾部であり、吸収体１１が厚さ方向に折れ曲がるように誘導する折り曲げ誘導部としての機能を有する。おむつ１の着用時においては、該第１溝部１２１に沿って吸収体１１が着用者の肌側に突出した山型に折れ曲がることで、着用者の身体形状にあわせて吸収体１１を適切に変形させることができる。本実施形態において、第１溝部１２１は、吸収体１１の厚さ方向の非肌側からエンボス加工を施すによって形成されており（図６ＡのＰ−Ｐ断面参照）、吸収体１１は厚さ方向の肌側へ折れ曲がりやすくなっている（図６ＢのＱ−Ｑ断面参照）。なお、第１溝部１２１は、吸収体１１が圧搾された圧搾部として形成されるのではなく、スリットとして形成されていても良い。また、図５のように連なった線状に形成されるのではなく、点状やその他の形状の圧搾部が長手方向に沿って複数並ぶことによって形成されていても良い。
【００６６】
第２溝部１２２は、第１溝部１２１の幅方向の中央を通り長手方向に沿った直線と交差するように複数形成されている。すなわち、第１溝部１２１が長手方向に沿って設けられているのに対して、第２溝部１２２は幅方向の成分を有するように設けられている。本実施形態では、長手方向の前側から順に２つの第２溝部１２２Ａ,１２２Ｂが設けられており、各々の溝部１２２Ａ,１２２Ｂは長手方向の後側（背側）に向けて幅方向の外側に広がった略放物線状となるように配置されている。そして、長手方向の前側に設けられた第２溝部１２２Ａは第１溝部１２１と交差しており、長手方向の後側に設けられた第２溝部１２２Ｂは第１溝部１２１と離間している。なお、第２溝部１２２は、３つ以上形成されていても良い。第２溝部１２２が設けられている領域は、着用者の背側において臀部の溝（臀裂）よりも上方の尾骨周辺で着用者の身体が略平面状となっている部分と当接する領域であり、以下ではこの領域を背側領域とも呼ぶ。
【００６７】
これら第２溝部１２２は、第１溝部１２１と同様に、吸収体１１の厚さ方向の非肌側からエンボス加工等の所定の圧搾手段により形成されている。但し、第２溝部１２２は厚さ方向の肌側から圧搾されて形成されるのであっても良い。また、第２溝部１２２は、第１溝部１２１のように吸収体１１を厚さ方向に折れ曲がるように誘導する折り曲げ誘導部としての機能を備える必要は無い。したがって、第２溝部１２２を形成する際には、第１溝部１２１と比較して吸収体１１を圧搾する度合いを低くすることができる。言い換えると、第２溝部１２２における吸収体１１の繊維密度（圧搾された部分の密度）は、第１溝部１２１における吸収体１１の繊維密度（圧搾された部分の密度）よりも低くても良い。第１溝部１２１と第２溝部１２２とでこのような密度差が設けられていれば、吸収体１１は密度の高い第１溝部１２１にて第２溝部１２２よりも折れ曲がりやすくなる。これにより、吸収体１１は、第１溝部１２１に沿った山型の形状に変形しやすくなる。
【００６８】
第３溝部１２３は、第２溝部１２２Ａよりも長手方向の前側において第１溝部１２１と交差するように複数形成されている。本実施形態では、長手方向の前側から順に３つの第３溝部１２３Ａ,１２３Ｂ,１２３Ｃが設けられおり、各々の溝部１２３Ａ,１２３Ｂ,１２３Ｃは長手方向の前側（腹側）に向けて幅方向の外側に広がった略放物線状に形成され、幅方向外側端部はくびれ部１１ｎに達している。この第３溝部１２３が設けられている領域は、おむつ１の着用時において、着用者の臀部の溝（臀裂）から脚の付け根部に亘る領域である。第３溝部１２３は、第２溝部１２２と略同様に形成されている。
【００６９】
次に、おむつ１の着用時における吸収体１１の変形について説明する。図６Ａはおむつ１着用前の平面状態の吸収体１１を表している。上述したように、長手方向において第１溝部１２１が形成されている領域を中央領域、中央領域よりも長手方向の後側を背側領域とする。また、中央領域よりも長手方向の前側を腹側領域とする。おむつ１着用前において、吸収体１１は図６Ａのような平面形状であるため、このままの形状では複雑な凹凸を有する人体にフィットしにくい。
【００７０】
図６Ｂはおむつ１の着用時において吸収体１１が変形した状態を表している。おむつ１を着用する際には、吸収体１１の中央領域が着用者の両脚の間（鼠径部）に挟み込まれることによって、吸収体１１を幅方向の内側に圧縮する力が作用する。この圧縮力により、吸収体１１の中央領域は第１溝部１２１に沿って厚さ方向に折れ曲がり、図６ＢのＱ−Ｑ断面に示されるように肌側に突出した山型の形状に変形する。中央領域が山型に変形することで、当該山型の折れ曲がり部が着用者の臀部の溝に接しやすくなる。これにより、中央領域において良好なフィット感を生じさせることができる。
【００７１】
一方、背側領域では着用者の身体が略平面状であるため、吸収体１１が中央領域と同様に山型形状に変形するとフィット性が悪化する。これに対して、本実施形態では第２溝部１２２を設けることによって、背側領域において吸収体１１が山型に変形することを抑制している。具体的に、第１溝部１２１が長手方向の後側端部１２１ｅｒにおいて第２溝部１２２Ａと交差していることにより、吸収体１１を山型形状に変形させる力は第１溝部１２１から第２溝部１２２Ａへと伝播し、第２溝部１２２Ａに沿って幅方向の外側へと伝達される。この力が吸収体１１の背側領域を幅方向の外側に拡幅するように作用するため、該背側領域は平面形状に保たれやすくなる。つまり、第１溝部１２１と交差する第２溝部１２２Ａによって、吸収体１１を山型に変形させる力の作用方向を変更することで、中央領域と背側領域とで吸収体１１の変形を制御しやすくしている。
【００７２】
さらに、第２溝部１２２Ａの長手方向の後側の領域には、第２溝部１２２Ｂが設けられている。この第２溝部１２２Ｂは第１溝部１２１と所定の距離だけ離れた位置に設けられていることから、吸収体１１を山型に変形させる力が作用しにくく、仮に当該力が第２溝部１２２Ａよりも長手方向の後側の第２溝部１２２Ｂの位置まで伝達されたとしても、長手方向と交差して設けられた第２溝部１２２Ｂによって吸収体１１が山型に変形することが抑制される。
【００７３】
このように、長手方向と交差する方向に設けられた複数の第２溝部のうち、最前側の第２溝部１２２Ａが第１溝部１２１と交差し、最後側の第２溝部１２２Ｂが第１溝部１２１と離間して設けられていることにより、背側領域において吸収体１１が平面形状に保たれやすくなる。そして、おむつ１の着用時において、吸収体１１の背側領域は、平面形状を保ったまま後側端部１２１ｅｒを起点として着用者の身体に沿って縦方向の上側に立ち上がるように変形し（図６Ｂ参照）、着用者の身体にフィットしやすくなる。特に、吸収体１１の背側領域は、おむつ１を着用した状態において着用者の臀部から大きな力を受けやすい領域であるため、第１溝部１２１及び第２溝部１２２を設けて吸収体１１を適切に変形させることで、着用時の不快感を効果的に抑制できる。なお、上述の「平面形状」とは、完全に平らな面だけを意味するのではなく、身体の形状に沿ったカーブを有する曲面も含む概念である。
【００７４】
また、本実施形態のおむつ１では、第２溝部１２２の形状及び配置を第２接合部ＷＬ２に対して調整することで、背側領域において吸収体１１がより適切に変形しやすくなるようにしている。図７は、パンツ型形状のおむつ１を後側（背側）から見た時の概略平面図である。
【００７５】
おむつ１を着用する際には、伸縮性のベルト部３０によって吸収性本体１０が幅方向の外側に引っ張られる。このとき、背側においてベルト部３０による引張力が第２接合部ＷＬ２を介して吸収性本体１０に作用する。すなわち、図７に示されるように、吸収性本体１０は第２接合部ＷＬ２と交差（直交）する方向に引っ張られる。一方、吸収体１１において、第２溝部１２２Ａ，１２２Ｂは長手方向の後側（図７では縦方向の上側）に向けて幅方向の外側に広がった略放物線状に形成されており、その延長線と第２接合部ＷＬ２とがほぼ直交するように配置されている。言い換えると、第２溝部１２２Ａ，１２２Ｂをそれぞれ長手方向の後側かつ幅方向の外側に延長した延長線と第２接合部ＷＬ２とのなす角度のうち小さい方の角度αＡ，αＢが所定の範囲内（例えば７０°以上、望ましくは９０°）となるように、第２溝部１２２が配置されている。このようにすれば、第２接合部ＷＬ２に作用する引っ張り力と、第２溝部１２２Ａ，１２２Ｂが配置される方向とが揃いやすくなり、吸収性本体１０を幅方向の外側に引っ張る力が第２溝部１２２を介して吸収体１１にも効率的に作用するようになり、吸収体１１が幅方向に拡幅されやすくなる。したがって、吸収体１１が着用者の身体に沿って変形する際に背側領域全体が略平面状に保たれやすくなり、着用者の背側におけるフィット性を向上させることができる。
【００７６】
また、図５で、中央領域の長手方向後側には第３溝部１２３Ａ〜１２３Ｃが形成されている。この領域はおむつ１の着用時に着用者の臀部の丸みに沿って変形する領域であり、複雑な力が作用するため、表面に皺が発生したり、当該領域全体が収縮して着用者の臀部に食い込んだりすることによってフィット性を悪化させるおそれがある。これに対して、おむつ１では、第１溝部１２１から吸収体１１のくびれ部１１ｎに亘って第３溝部１２３Ａ〜１２３Ｃが設けられていることにより、当該領域の面形状が維持されやすくなっている。これにより、皺の発生や臀部への食い込みを生じにくくし、良好なフィット性を実現しやすくしている。また、第３溝部１２３Ａ〜１２３Ｃは長手方向の前側（腹側）に向けて幅方向の外側に広がった略放物線状に形成されており、当該放物線に沿って吸収体１１が曲面状に変形しやすくなるため、着用者の臀部の丸みに対して良好なフィット性を実現可能となる。
【００７７】
一方、吸収体１１の腹側領域では、第１溝部１２１の長手方向の前側端部１２１ｅｆが吸収体１１のくびれ部１１ｎの前側端部の位置１１ｎｆと最狭部の位置ＭＮとの間に設けられている。この前側端部１２１ｅｆが設けられている位置は、着用者の鼠径部の前側端部付近と当接する位置であり、該前側端部１２１ｅｆよりも長手方向の前側の領域では、吸収体１１が着用者の脚の間に挟み込まれている部分が少ないため、吸収体１１を山型に変形させる力は小さい。また、おむつ１の着用時において腹側では背側（臀部）と比較して複雑な力が作用しにくいため、吸収体１１に皺が発生したり腹部に食い込んだりするといった問題は生じにくい。したがって、第１溝部１２１の前側端部をくびれ部１１ｎの前側端部の位置１１ｎｆと最狭部の位置ＭＮとの間に配置することにより、第１溝部１２１に相当する溝部を設けなくても、腹側領域において吸収体１１は平面（身体の腹部に沿った曲面）形状を維持することができる。
【００７８】
このように、おむつ１を着用する際に、背側領域、中央領域、腹側領域のそれぞれにおいて吸収体１１を適切に変形させることにより、吸収体の立体形状が人体の形状になじみやすくなり、着用者に良好なフィット感を与えることができる。また、図１に示されるようなベルトタイプのおむつにおいて、吸収体１１のフィット性を向上させることにより、着用時における該吸収体１１のだぶつき等が抑制され、おむつ１の外観をショーツやブリーフ等の下着のようなすっきりとしたものにすることができる。
【００７９】
＜吸収性物品のその他の実施例＞
着用時において身体の形状にあわせて適切に変形可能な吸収体１１を有する吸収性物品の一例としてパンツ型の使い捨ておむつ１について説明したが、本実施形態の吸収体１１は、例えば、以下のような吸収性物品にも適用可能である。図８は、吸収性物品の一例としての３ピースタイプの使い捨ておむつ（おむつ２）を展開した状態を表す平面図である。図９は、吸収性物品の一例としての生理用ナプキン（ナプキン３）を表す平面図である。
【００８０】
図８に示されるおむつ２は、所謂３ピースタイプであり、３つの部品１０，３０ａ，３０ｂを有している。すなわち、第１部品として、吸収体１１を備えた吸収性本体１０（本体部）を有し、第２部品として、着用者の腹側部を覆う伸縮性の腹側ベルト部３０ａを有し、第３部品として、着用者の背側部を覆う伸縮性の背側ベルト部３０ｂを有している。そして、図８の展開状態では、腹側ベルト部３０ａと背側ベルト部３０ｂとが互いに縦方向に間隔をあけて平行に並んだ状態で、これらの間に吸収性本体１０が掛け渡されつつ、同吸収性本体１０の長手方向の各端部１０ｅｆ，１０ｅｒがそれぞれ最寄りの腹側ベルト部３０ａ及び背側ベルト部３０ｂに接合固定されており、その外観形状は平面視略Ｈ形状をなしている。そして、この状態から、吸収性本体１０がその長手方向の中央位置ＣＬを折り位置として二つ折りされる。この二つ折りの状態において互いに対向する腹側ベルト部３０ａと背側ベルト部３０ｂとが、着用者の脇腹に当接すべき部分である腹側ベルト側縁部３０ａｅと、背側ベルト側縁部３０ｂｅと（つまり、幅方向の各端部）にて接合・連結されると、これらベルト部３０ａ，３０ｂ同士が環状に成形される。これにより、胴周り開口１ＨＢ及び一対の脚周り開口１ＨＬが形成された着用状態のおむつ２となる
【００８１】
図９に示されるナプキン３は、吸収体１１と、着用者の肌側から吸収体１１を覆う表面層１６と、着用者の非肌側から吸収体１１を覆う裏面層１７とを有する。そして、吸収体１１を厚さ方向に挟み込んだ状態で表面層１６と裏面層１７との周縁（図９の斜線部）を接合することにより形成されている。なお、ナプキン３は、所謂おりものシート（例えばパンティライナー）等であっても良く、生理用ナプキンに限定されるものではない。
【００８２】
表面層１６は、体液等の液体を透過させる液透過性のシート部材であり、例えば不織布によって形成される。但し、液体を透過する構造のシート部材であり、かつ、ナプキン１０の使用時において使用者の肌と当接する際に安全な部材であれば特に材料の制限は無い。例えば、織布やメッシュシートであっても良い。表面層１６は縦方向及び幅方向において吸収体１１よりも大きく、吸収体１１の全領域を覆うことができる。
【００８３】
裏面層１７は、非液透過性のシート部材であり、例えばポリエチレンやプロピレン等を主体としたフィルム、通気性の樹脂フィルム、スパンボンド、又はスパンレース等の不織布に通気性の樹脂フィルムが接合されたシートなどによって形成される。裏面層１７が非液透過性であることから、ナプキン３の使用時において表面層１６を透過して吸収体１１によって吸収された液体が下着等の着衣側（非肌側）に染み出すことが抑制される。裏面層１７は、表面層１６とほぼ同一の形状であり、ナプキン１０の使用時において使用者に違和感を生じさせない程度の柔軟性を有することが望ましい。
【００８４】
これらの吸収性物品（おむつ２、ナプキン３）を着用する際にも、着用者の身体形状にあわせて吸収体１１が適切に変形することにより（図６Ａ，６Ｂ参照）、着用者に良好なフィット感を与えることができる。
【００８５】
＝＝＝その他＝＝＝
上記の実施形態は、本発明の理解を容易にするためのものであり、本発明を限定して解釈するためのものではない。本発明は、その趣旨を逸脱すること無く、変更・改良され得ると共に、本発明には、その等価物が含まれることは言うまでも無い。
【００８６】
上述の実施形態では、吸収体１１における幅方向の中央位置に第１溝部１２１が形成されていたが、何等これに限らない。すなわち、中央位置から若干幅方向にずれた位置に折り第１溝部１２１が形成されていても良い。但し、おむつ１やナプキン３等の吸収性物品は、基本的に幅方向の中央位置に関して対称形状に設計されていることから、望ましくは折り第１溝部１２１を幅方向の中央位置に形成すると良い。
【符号の説明】
【００８７】
１  おむつ（吸収性物品、使い捨ておむつ）、
２  おむつ（吸収性物品、３ピースタイプの使い捨ておむつ）、
３  ナプキン（吸収性物品、生理用ナプキン）、
１０  吸収性本体、１０Ａ  吸収性本体連続シート、
１０ｅｆ  前側端部、１０ｅｒ  後側端部、
１１ｎ  くびれ部、１１ｎｆ  前側端部の位置、
１２  溝部、
１２１  第１溝部、１２１ｅｆ  前側端部、１２１ｅｒ  後側端部、
１２２  第２溝部、１２２Ａ・１２２Ｂ  第２溝部、
１２３  第３溝部、１２３Ａ・１２３Ｂ・１２３Ｃ  第３溝部、
１３  トップシート、
１５  バックシート、１５ｆ  防漏シート、１５ｎ  外装シート、
１６  表面層、１７  裏面層、
２０  レッグギャザー部、２０Ａ  レッグギャザー連続シート、
２０ｅо  幅方向外側端部、
２１  第１シート、２２  第２シート、２３  レッグギャザー弾性部材、
２５  レッグギャザー切り欠き部、
３０  ベルト部、３０Ａ  ベルト連続シート、
３０ａ  腹側ベルト部、３０ａｅ  腹側ベルト側縁部、
３０ｂ  背側ベルト部、３０ａｂ  背側ベルト側縁部、
３０ｅｉ  幅方向内側端部、３０ｅо  幅方向外側端部、
３１  第１シート、３２  第２シート、３３  ベルト弾性部材、
３５  ベルト切り欠き部、
４０  サイドシート、４０Ａ  サイド連続シート、
４１  シート部材、４２  シート部材、４３  伸縮シート、
ＨＢ  胴回り開口部、ＨＬ  脚回り開口部、
ＣＬ  中央位置、
ＦＬ  折り返し線、
ＦＬｂ１  第１ベルト端部折り返し線、ＦＬｂ２  第２ベルト端部折り返し線、
ＷＬ１  第１接合部、ＷＬ２  第２接合部、
【図１】
0006412834.tif 000002
【図２】
0006412834.tif 000003
【図３】
0006412834.tif 000004
【図４】
0006412834.tif 000005
【図５】
0006412834.tif 000006
【図６】
0006412834.tif 000007
【図７】
0006412834.tif 000008
【図８】
0006412834.tif 000009
【図９】
0006412834.tif 000010